(57)【要約】【課題】ユーザに対して適切な音声ガイドを供給できる洗濯機を提供する。【解決手段】洗濯機は、洗濯物の処理工程を選択するための操作部と、操作部の操作間隔を記憶する記憶部(２３)と、操作部の操作に応じて、音声ガイドを出力する音声ガイド出力部と、制御装置(２２)とを備え、制御装置(２２)は、操作部の操作間隔が、予め設定された閾値以下であるか否かを判定する操作間隔判定手段(２２ａ)と、操作間隔判定手段(２２ａ)によって操作間隔が閾値以下でないと判定された場合、音声ガイドが、予め設定された標準時間で終わるように、音声ガイドを調整する第１音声ガイド調整手段(２２ｂ)と、操作間隔判定手段(２２ａ)によって操作間隔が閾値以下であると判定された場合、音声ガイドが、標準時間よりも短い時間で終わるように、音声ガイドを調整する第２音声ガイド調整手段(２２ｃ)とを有する。【選択図】図４
2018143887.tif 000002
【特許請求の範囲】
【請求項１】
洗濯物の処理工程を選択するための操作部と、
音声ガイドを出力する音声ガイド出力部と、
制御装置と
を備え、
上記制御装置は、
上記操作部の操作状態を判定する第１判定手段と、
上記第１判定手段による上記操作部の操作状態の判定結果に応じて、上記音声ガイドの出力態様を変更する変更手段と
を有することを特徴とする洗濯機。
【請求項２】
請求項１に記載の洗濯機において、
上記第１判定手段は上記操作部の操作間隔を判定し、
上記変更手段は、上記操作間隔が短くなるにしたがって、上記音声ガイドの速度を速くする変更と、上記操作間隔が短くなるにしたがって、上記音声ガイドの内容を簡略化する変更との少なくとも一方を行うことを特徴とする洗濯機。
【請求項３】
請求項１に記載の洗濯機において、
上記操作部は、電源を入れる電源キーを有し、
上記第１判定手段は、上記電源キーの操作回数の積算値を判定し、
上記変更手段は、上記電源キーの操作回数の積算値が増えるにしたがって、上記音声ガイドの声の年齢が高くなるように、上記音声ガイドの周波数および速度を変更する、または、上記電源キーの操作回数の積算値が増えるにしたがって、上記音声ガイドに親しみを感じるように、上記音声ガイドの内容を変更することを特徴とする洗濯機。
【請求項４】
請求項１に記載の洗濯機において、
上記操作部は、電源を入れる電源キーと、上記洗濯物の処理工程をスタートさせるスタートキーとを有し、
上記第１判定手段は、上記電源キーおよびスタートキーが操作されたか否かを判定し、
上記制御装置は、
上記電源キーが操作されたとき、ユーザに伝えるべき情報があるか否かを判定する第２判定手段と、
上記情報があるとき、上記音声ガイドとして上記情報を出力するように、上記音声ガイド出力部に指示する第１指示手段と
を有し、
上記変更手段は、上記音声ガイドとしての上記情報の出力中に上記スタートキーが操作されたとき、上記スタートキーが操作された以降の上記音声ガイドの速度を、上記スタートキーが操作される前の上記音声ガイドの速度よりも速くする変更と、上記スタートキーが操作された以降の上記音声ガイドの内容を、上記スタートキーが操作される前の上記音声ガイドの内容よりも簡略化する変更との少なくとも一方を行うことを特徴とする洗濯機。
【請求項５】
請求項１から４までのいずれか一項に記載の洗濯機において、
上記操作部は、特定の機能を得るための機能キーと、上記特定の機能の説明を聞くための音声キーとを有し、
上記制御装置は、
上記機能キーが操作されたか否かを判定する第３判定手段と、
上記機能キーが操作されたとき、上記音声キーを点滅させる点滅手段と、
上記音声キーが点滅中に操作されたか否かを判定する第４判定手段と、
上記音声キーが点滅中に操作されたとき、上記音声ガイドとして上記機能キーの説明を出力するように、上記音声ガイド出力部に指示する第２指示手段と
を有することを特徴とする洗濯機。
【発明の詳細な説明】
【技術分野】
【０００１】
この発明は、
本発明は、例えばドラム式洗濯機、全自動洗濯機、２槽式洗濯機等、あらゆるタイプの洗濯機に関する。
【背景技術】
【０００２】
従来、洗濯機としては、操作部が操作されると、その操作部に対応する音声ガイドを出力するものがある(例えば特開平１０−２５５５７７号公報(特許文献１)参照)。この音声ガイドの情報量や速度は、一定となるように、予め設定されている。これにより、ユーザは音声ガイドの一定の情報量を一定の速度で得ることができる。
【先行技術文献】
【特許文献】
【０００３】
【特許文献１】特開平１０−２５５５７７号公報
【発明の概要】
【発明が解決しようとする課題】
【０００４】
しかしながら、上記従来の洗濯機では、音声ガイドの情報量や速度が一定となるため、例えば、ユーザが急いでいると、音声ガイドがまどろっこしいと感じてしまうことがある。
【０００５】
すなわち、上記従来の洗濯機には、音声ガイドの情報量や速度がユーザに対して不適切になることがあるという問題がある。
【０００６】
そこで、この発明の課題は、ユーザに対して適切な音声ガイドを供給できる洗濯機を提供することにある。
【課題を解決するための手段】
【０００７】
上記課題を解決するため、この発明の洗濯機は、
洗濯物の処理工程を選択するための操作部と、
音声ガイドを出力する音声ガイド出力部と、
制御装置と
を備え、
上記制御装置は、
上記操作部の操作状態を判定する第１判定手段と、
上記第１判定手段による上記操作部の操作状態の判定結果に応じて、上記音声ガイドの出力態様を変更する変更手段と
を有することを特徴としている。
【０００８】
一実施形態の洗濯機では、
上記第１判定手段は上記操作部の操作間隔を判定し、
上記変更手段は、上記操作間隔が短くなるにしたがって、上記音声ガイドの速度を速くする変更と、上記操作間隔が短くなるにしたがって、上記音声ガイドの内容を簡略化する変更との少なくとも一方を行う。
【０００９】
一実施形態の洗濯機では、
上記操作部は、電源を入れる電源キーを有し、
上記第１判定手段は、上記電源キーの操作回数の積算値を判定し、
上記変更手段は、上記電源キーの操作回数の積算値が増えるにしたがって、上記音声ガイドの声の年齢が高くなるように、上記音声ガイドの周波数および速度を変更する、または、上記電源キーの操作回数の積算値が増えるにしたがって、上記音声ガイドに親しみを感じるように、上記音声ガイドの内容を変更する。
【００１０】
一実施形態の洗濯機では、
上記操作部は、電源を入れる電源キーと、上記洗濯物の処理工程をスタートさせるスタートキーとを有し、
上記第１判定手段は、上記電源キーおよびスタートキーが操作されたか否かを判定し、
上記制御装置は、
上記電源キーが操作されたとき、ユーザに伝えるべき情報があるか否かを判定する第２判定手段と、
上記情報があるとき、上記音声ガイドとして上記情報を出力するように、上記音声ガイド出力部に指示する第１指示手段と
を有し、
上記変更手段は、上記音声ガイドとしての上記情報の出力中に上記スタートキーが操作されたとき、上記スタートキーが操作された以降の上記音声ガイドの速度を、上記スタートキーが操作される前の上記音声ガイドの速度よりも速くする変更と、上記スタートキーが操作された以降の上記音声ガイドの内容を、上記スタートキーが操作される前の上記音声ガイドの内容よりも簡略化する変更との少なくとも一方を行う。
【００１１】
一実施形態の洗濯機では、
上記操作部は、特定の機能を得るための機能キーと、上記特定の機能の説明を聞くための音声キーとを有し、
上記制御装置は、
上記機能キーが操作されたか否かを判定する第３判定手段と、
上記機能キーが操作されたとき、上記音声キーを点滅させる点滅手段と、
上記音声キーが点滅中に操作されたか否かを判定する第４判定手段と、
上記音声キーが点滅中に操作されたとき、上記音声ガイドとして上記機能キーの説明を出力するように、上記音声ガイド出力部に指示する第２指示手段と
を有する。
【発明の効果】
【００１２】
この発明の洗濯機によれば、制御装置は、操作部の操作状態を判定する第１判定手段と、第１判定手段による操作部の操作状態の判定結果に応じて、音声ガイドの出力態様を変更する変更手段とを有するので、ユーザに対して適切な音声ガイドを供給できる。
【図面の簡単な説明】
【００１３】
【図１】図１はこの発明の第１実施形態の洗濯乾燥機の斜視図である。
【図２】図２は上記洗濯乾燥機の断面模式図である。
【図３】図３は上記洗濯乾燥機の外箱の正面上部の拡大図である。
【図４】図４は上記洗濯乾燥機の制御ブロック図である。
【図５】図５は上記洗濯乾燥機の音声ガイドの出力手順とを説明するための図である。
【図６】図６はこの発明の第２実施形態の洗濯乾燥機の制御ブロック図である。
【図７】図７は上記洗濯乾燥機の音声ガイドの出力の一例を説明するための図である。
【図８】図８は上記洗濯乾燥機の音声ガイドの出力の他の一例を説明するための図である。
【図９】図９は上記洗濯乾燥機の音声ガイドの出力のさらに他の一例を説明するための図である。
【図１０】図１０はこの発明の第３実施形態の洗濯乾燥機の操作表示部の正面図である。
【図１１】図１１は上記洗濯乾燥機の制御ブロック図である。
【図１２】図１２はこの発明の第４実施形態の洗濯乾燥機の制御ブロック図である。
【図１３】図１３はこの発明の第５実施形態の洗濯乾燥機の制御ブロック図である。
【図１４】図１４は上記第２実施形態の洗濯乾燥機の第１変形例の制御ブロック図である。
【図１５】図１５は上記第２実施形態の洗濯乾燥機の第２変形例の制御ブロック図である。
【図１６】図１６はこの発明の第１実施形態における音声ガイドの出力事例を示す図である。
【発明を実施するための形態】
【００１４】
以下、この発明を図示の実施の形態により詳細に説明する。
【００１５】
〔第１実施形態〕
図１は、この発明の第１実施形態の洗濯乾燥機における外観を示す斜視図である。また、図２は、上記洗濯乾燥機の乾燥機能に関する概略構成を模式的に示す断面図である。
【００１６】
上記洗濯機は、図１に示すように、運転動作を選択するために操作され、運転状態を表示する操作表示部４と、洗濯槽２および回転ドラム３(図２参照)の開口を開閉する扉５とを、外箱１の正面に備えている。
【００１７】
また、上記洗濯乾燥機は、図２に示すように、外箱１と、この外箱１内に配置された洗濯槽２と、洗濯物６等を収容する回転ドラム３と、この回転ドラム３を中心軸Ｊ周りに回転駆動する駆動モータ７とを備えている。ここで、回転ドラム３は、正面側が背面側よりも高くなるように配置されている。すなわち、回転ドラム３の正面側は斜め上方を向いている。さらに、洗濯槽２および回転ドラム３は扉５側に開口を有しており、ユーザは、扉５を開くことによって回転ドラム３内に洗濯物６等を出し入れすることができる。そして、扉５を閉じることによって、洗濯槽２は水密と気密とが保たれる。なお、中心軸Ｊの延在方向は水平方向となるようにしても構わない。
【００１８】
また、上記外箱１の背面側上部には、フィルタ収納部８を配置している。そして、フィルタ収納部８の吸気口８ａと洗濯槽２の排気口９との間には、第１空気循環ダクト１０を設ける一方、フィルタ収納部８の排気口８ｂとヒートポンプユニット１１との間には、第２空気循環ダクト１２を設けている。このヒートポンプユニット１１は外箱１の背面側下部に配置されている。そして、ヒートポンプユニット１１と洗濯槽２の吸気口１３との間には、送風ダクト１４を設けている。
【００１９】
また、上記送風ダクト１４のヒートポンプユニット１１側には循環ファン１５が設けられている。この循環ファン１５を駆動すると、洗濯槽２外に出た空気が、第１空気循環ダクト１０、フィルタ収納部８、第２空気循環ダクト１２、ヒートポンプユニット１１および送風ダクト１４を介して洗濯槽２内に戻って循環するようになっている。
【００２０】
また、上記回転ドラム３の周面３Ａには、回転ドラム３内の空間から洗濯槽２と回転ドラム３の間の空間への水や空気の流通を可能にする複数の貫通孔(図示せず)が形成されている。さらに、回転ドラム３の底面３Ｂには、洗濯槽２の吸気口１３に連通する複数の空気導入孔(図示せず)が形成されている。これにより、ヒートポンプユニット１１から送風
ダクト１４を通って供給される乾燥した加熱空気は、図２に矢印Ｙで示すように、吸気口１３から回転ドラム３内に流入できるようになっている。
【００２１】
また、上記回転ドラム３内に収容された洗濯物６等から水分を奪った加熱空気は吸湿空気となる。この吸湿空気は、図２に矢印Ｚで示すように回転ドラム３の周面３Ａの上記貫通孔から洗濯槽２内に進入し、洗濯槽２の排気口９から第１空気循環ダクト１０を介してフィルタ収納部８に向けて排気され、このフィルタ収納部８から第２空気循環ダクト１２でヒートポンプユニット１１に案内される。
【００２２】
上記ヒートポンプユニット１１は、蒸発器１６と圧縮機１７と凝縮器１８と膨張弁１９とを冷媒配管２０で環状に接続して構成された冷媒回路を含んでいる。この圧縮機１７で圧縮された冷媒は、凝縮器１８,膨張弁１９および蒸発器１６の順に流れて、蒸発器１６
で第２空気循環ダクト１２からの吸湿空気を冷却して乾燥させた後に凝縮器１８で加熱して送風ダクト１４に送出させる。このとき、温度センサ２１で測定した冷媒温度に応じて、制御装置２２が圧縮機１７を制御する。また、制御装置２２は、必要に応じて、膨張弁１９を制御する。なお、温度センサ２１は圧縮機１７の吐出側の冷媒配管２０に取り付けられている。
【００２３】
図３は、上記外箱１の正面の上部を拡大して示す図である。なお、図３では、キーおよび表示部は全て点灯状態にしている。
【００２４】
上記操作表示部４は、電源入りボタン５１、電源切りボタン５２、スタート／一時停止ボタン５３およびロック解除ボタン５４を有している。これらのボタンは、例えばプッシュボタン等の物理ボタンからなる。なお、操作表示部４は操作部の一例である。また、電源入りボタン５１は電源キーの一例である。また、スタート／一時停止ボタン５３はスタートキーの一例である。
【００２５】
また、上記操作表示部４は、運転切換キー５５、コース選択キー５６、メニューキー５７、調節キー５８、行程キー５９、予約キー６０およびすすぎ１回キー６１を有している。これらのキーは、タッチパネルに表示されるソフトキーである。
【００２６】
また、ユーザが運転切換キー５５を１回または複数回押すと、「洗濯〜乾燥」、「洗濯」、「乾燥」、「お好み」、「お手入れ」および「リフレッシュ」のうちの１つの文字が、運転切換キー５５の上方で点灯する。
【００２７】
また、ユーザがコース選択キー５６を１回または複数回押すと、「標準」、「わが家流」、「柔らか」、「室内干し」、「ドライ」、「毛布」、「静止」および「回転」のうちの１つの文字が、コース選択キー５６の上方で点灯する。
【００２８】
また、ユーザがメニューキー５７を１回または複数回押すと、調節キー５８、行程キー５９、予約キー６０およびすすぎ１回キー６１の全てが、メニューキー５７の側方および下方で点灯する。
【００２９】
また、上記調節キー５８および行程キー５９の下方には、数字等表示部６２が設けられている。この数字等表示部６２は、調節キー５８等が押されることに応じて、数字および文字の少なくとも一方を表示する。
【００３０】
また、図示しないが、上記操作表示部４の内側の部分には、複数のＬＥＤ(発光ダイオ
ード）が取り付けられている。このＬＥＤが発光することで、「洗濯〜乾燥」などの文字が点灯する。
【００３１】
図４は上記洗濯乾燥機の制御ブロック図である。
【００３２】
上記洗濯乾燥機は、制御装置２２と、例えばフラッシュメモリからなる不揮発性の記憶部２３と、扉５を施錠する施錠機構２４と、音声ガイドを出力するスピーカ２５とを備えている。この記憶部２３は、運転切換キー５５、コース選択キー５６およびメニューキー５７の操作間隔を記憶する。また、記憶部２３は、電源入りボタン５１の操作の積算値も記憶する。なお、スピーカ２５は音声ガイド出力部の一例である。
【００３３】
上記制御装置２２は、ＣＰＵ(中央処理装置)、ＲＡＭ(ランダム アクセス メモリ)、ＲＯＭ(リード オンリー メモリ)およびタイマ等を有するマイクロコンピュータや、入出力回路等で構成されて、例えば、運転切換キー５５が押されてから次のコース選択キー５６が押されるまでにかかった時間を計測できるようになっている。また、制御装置２２には、操作表示部４、温度センサ２１、ヒートポンプユニット１１、駆動モータ７、循環ファン１５、記憶部２３、施錠機構２４、スピーカ２５等が接続されている。
【００３４】
また、上記制御装置２２は、操作間隔判定手段２２ａ、第１音声ガイド調整手段２２ｂおよび第２音声ガイド調整手段２２ｃを有している。この操作間隔判定手段２２ａ、第１音声ガイド調整手段２２ｂおよび第２音声ガイド調整手段２２ｃは、それぞれ、ソフトウェアで構成されている。なお、操作間隔判定手段２２ａは第１判定手段の一例である。また、第２音声ガイド調整手段２２ｃは変更手段の一例である。
【００３５】
上記操作間隔判定手段２２ａは、運転切換キー５５、コース選択キー５６およびメニューキー５７の操作間隔の直近５回分の平均値が、予め設定された閾値Ｔｈ(ａ)以下であるか否かを判定する。ここで、上記操作間隔とは、運転切換キー５５、コース選択キー５６またはメニューキー５７が押されてから、次のキー(運転切換キー５５、コース選択キー
５６またはメニューキー５７)が押されるまでにかかった時間を指す。
【００３６】
上記第１音声ガイド調整手段２２ｂは、上記操作間隔の直近５回分の平均値が閾値Ｔｈ(ａ)以下でないと判定された場合、音声ガイドの速度を、予め調整された標準速度に調整すると共に、音声ガイドの内容を、予め設定された標準内容に調整する。これにより、上記音声ガイドが、予め設定された標準時間で終わるようになっている。
【００３７】
上記第２音声ガイド調整手段２２ｃは、操作間隔が短くなるにしたがって、音声ガイドの速度を速くする変更と、操作間隔が短くなるにしたがって、音声ガイドの内容を簡略化する変更との少なくとも一方を行う。より詳しくは、上記第２音声ガイド調整手段２２ｃは、上記操作間隔の直近５回分の平均値が閾値Ｔｈ(ａ)以下であると判定された場合、音声ガイドの内容および速度のうちの少なくとも一方を調整する。これにより、上記音声ガイドが、上記標準時間よりも短い時間で終わるようになっている。
【００３８】
図５は、上記洗濯乾燥機の音声ガイドの出力手順を説明するための図である。
【００３９】
まず、ステップＳ１で、電源入りボタン５１が押される。
【００４０】
次に、ステップＳ２で、時間測定が開始される。より詳しくは、運転切換キー５５、コース選択キー５６およびメニューキー５７の操作間隔の測定が開始される。ここで、上記操作間隔とは、運転切換キー５５、コース選択キー５６およびメニューキー５７のうちの一つのキーが押されてから、次のキー(運転切換キー５５、コース選択キー５６およびメ
ニューキー５７のうちの一つのキー)が押されるまでにかかった時間を指す。
【００４１】
次に、ステップＳ３〜Ｓ５で、運転切換キー５５、コース選択キー５６およびメニューキー５７の検知が順次行われる。ここで、上記検知とは、運転切換キー５５、コース選択キー５６またはメニューキー５７が押されたか否かを、検査して知ることを意味する。なお、上記検知は、スタート／一時停止ボタン５３が押されるまで継続する。
【００４２】
また、上記運転切換キー５５、コース選択キー５６またはメニューキー５７が押されたことを検知した場合、ステップＳ６で、その検知された時間が記憶部２３に記憶される。このとき、上記操作間隔の測定の開始以降に上記時間の記憶が複数回行われていれば、今回記憶した時間と前回記憶した時間との差分つまり操作間隔を記憶部２３に記憶する。このような操作間隔は、直近の５回分、記憶部２３に記憶されるようになっている。
【００４３】
また、上記運転切換キー５５、コース選択キー５６またはメニューキー５７が押されたことを検知した場合、ステップＳ２１で、操作表示部４の表示の変更を行う。
【００４４】
例えば、上記運転切換キー５５が押されたことを検知した場合、ステップＳ２１−１〜Ｓ２１−３で示すように、「洗濯乾燥」、「洗濯のみ」または「乾燥のみ」の文字が点灯する。
【００４５】
また、上記コース選択キー５６が押されたことを検知した場合、ステップＳ２１−４〜Ｓ２１−６で示すように、「標準」、「Ａコース」または「Ｂコース」の文字が点灯する。
【００４６】
また、上記メニューキー５７が押されたことを検知した場合、ステップＳ２１−７〜Ｓ２１−９で示すように、「Ａｇ Ｏｎ/Ｏｆｆ」、「ふろ水Ｏｎ/Ｏｆｆ」または「予約設
定」の文字が点灯する。
【００４７】
一方、上記操作間隔が記憶部２３に記憶されると、ステップＳ７で、直近５回分の操作間隔の平均値が計算され、この平均値に基づいて、音声ガイドの設定更新が行われる。
【００４８】
例えば、上記平均値が閾値Ｔｈ(ａ)より大きい場合、第１音声ガイド調整手段２２ｂが、音声ガイドの速度を、予め調整された標準速度に調整すると共に、音声ガイドの内容を、予め設定された標準内容に調整する。
【００４９】
また、上記平均値が、閾値Ｔｈ(ａ)以下であり、かつ、予め設定された閾値Ｔｈ(ｂ)(
＜Ｔｈ(ａ))以上である場合、第２音声ガイド調整手段２２ｃが、音声ガイドの内容を上
記標準内容に調整すると共に、音声ガイドの速度を、上記標準速度よりも速い速度に調整する。
【００５０】
また、上記平均値が、閾値Ｔｈ(ｂ)未満であり、かつ、予め設定された閾値Ｔｈ(ｃ)(
＜Ｔｈ(ｂ))以上である場合、第２音声ガイド調整手段２２ｃが、音声ガイドの内容を、
上記標準内容よりも圧縮された内容に調整すると共に、音声ガイドの速度を上記標準速度に調整する。
【００５１】
また、上記平均値が閾値Ｔｈ(ｃ)未満である場合、第２音声ガイド調整手段２２ｃが、音声ガイドの内容を、上記標準内容よりも圧縮された内容に調整すると共に、音声ガイドの速度を、上記標準速度よりも速い速度に調整する。
【００５２】
以上説明した時間測定に基づき、以降の音声ガイドの出力時(ステップＳ８)、音声ガイドの内容調整、また音声の速度調整が行われてスピーカ２５を介して音声ガイドが出力される。図５においては、説明の都合上、ステップＳ８を最後に図示しているが、先に説明
したように、前回までのキー操作の時間測定(一例として直近の過去５回分の平均値)に基づき、音声ガイド出力を行う時点で、音声ガイド内容の調整、音声出力する際の速度調整等が行われて出力される。
【００５３】
このように、上記運転切換キー５５、コース選択キー５６およびメニューキー５７の操作間隔の直近５回分の平均値に応じて、音声ガイドの内容および速度のうちの少なくとも一方が調整されて、音声ガイドが終了する時点が変化するので、ユーザに対して適切な音声ガイドを供給できる。
【００５４】
以下、この発明の理解を高めるために、音声ガイドの出力事例について図１６を参照に記述する。図１６は、電源投入時に音声ガイドを出力する事例を示している。なお、音声ガイドは、電源投入時にかぎるものではなく、必要時点で出力される。
【００５５】
電源がＯＮ(電源入りキー５１の操作)されると、音声ガイドが標準時間で「おはよう(
１秒)」、「お洗濯のヒント(２秒)」、が音声出力される。「お洗濯のヒント」に対応す
る内容(情報)を出力する前に、この発明によれば一定時間の『間』を空けて、ヒントの内容を出力する。つまり一文節と次の文節との間を一定の時間空ける。これは、ユーザに対して「ヒント」の内容を聞く十分な体制をとれるように設定している。
【００５６】
上記『間』の時間に、一例として「メロディ(１秒)」を出力させる。これにより、ユーザはゆとりを持って内容を聞く体制を整えることができる。この『間』の時間の後に、「大切な衣類はドライコースを使ってくださいね(３秒)」といった音声ガイドを出力している。なお、上記の文節間に『間』設けることなく、続けてヒントの内容を音声出力してもよい。
【００５７】
以上のように音声ガイドを出力させるタイミングで、洗濯機に不慣れなユーザ、また初期時(キー操作時間の測定を行っていない場合など)、ユーザに内容を十分に把握できるように標準内容および標準時間で音声ガイドが出力される。例えば、図５の丸数字１におけるＴｈ(ａ)より大きい場合として、音声ガイドが、上述したように図１６の(ａ)の内容で出力される。
【００５８】
なお、この発明との対比のための比較例として、図１６の(ｂ)に示すように、音声ガイドの出力途中でスタートキー５３が操作された場合の事例を説明する。例えば「お洗濯のヒント」の音声ガイド出力時に、スタートキー５３が操作される。その操作時点で、出力されていた音声ガイドが停止する。そのため、「大切な衣類はドライコースを使ってくださいね」といった音声ガイドが出力されず、スタートキー５３の操作に応答して「運転を開始します」といった音声ガイドが出力される。洗濯機を常時利用し、洗濯機のキー操作に慣れてくると、キー操作の間隔の操作時間に徐々に短くなり、音声ガイドの出力の途中でスタートキー５３を操作することにもなる。
【００５９】
これに対し、この発明によれば、ユーザに必要な情報を聞かせるように音声ガイドを出力させることができる。つまり、キー操作に慣れ、その操作間隔が短くなった場合でも、ユーザに必要な情報(内容)を、聞かせるように音声ガイドを出力させる事例を以下に説明する。
【００６０】
そこで、キー操作の時間が短くなり、キー操作の上記平均値が、閾値Ｔｈ(ａ)以下であり、かつ、予め設定された閾値Ｔｈ(ｂ)(＜Ｔｈ(ａ))以上である場合、音声ガイドの速度は、上記標準速度に比べて速い速度に調整され出力される。一例として、図１６(ｃ)に示すとおり、電源ＯＮ操作時に、「おはよう(０.７秒)」、「お洗濯のヒント(１.４秒)」、「メロディ(０.７秒)」、「大切な衣類はドライコースを使ってくださいね(２.１秒)」で
音声ガイドの出力が行われる。そのため、上記標準時間(例では７秒)に比べて短い時間(
例では４.９秒)で音声ガイドを確実に終わらせることができる。また、その場合、上記音声ガイドの内容は上記標準内容に調整されるので、音声ガイドでユーザに伝える情報量が減るのを防ぐことができる。
【００６１】
また、さらにキー操作の時間が短くなり、上記平均値が、閾値Ｔｈ(ｂ)未満であり、かつ、予め設定された閾値Ｔｈ(ｃ)(＜Ｔｈ(ｂ))以上である場合、音声ガイドの内容は、上記標準内容に比べて圧縮された内容に調整され出力される。例えば図１６(ｄ)に例示するように、例えば「おはよう」「お洗濯のヒント」の内容が削除され、「大切な衣類はドライコースを使ってくださいね(３秒)」といった音声ガイドが出力される。これにより、上記標準時間に比べて短い時間でユーザに的確な内容の音声ガイドを確実に終わらせることができる。また、その場合、上記音声ガイドの速度は上記標準速度に調整されるので、ユーザが音声ガイドを聞き逃す可能性を下げることができる。
【００６２】
また、上記平均値が閾値Ｔｈ(ｃ)未満である場合、その音声ガイドの例を図１６(ｅ)に示している。この音声ガイドの内容は、上記標準内容に比べて圧縮された内容（「大切な衣類はドライコースを使ってくださいね」）に調整されるので、上記標準時間に比べて短い時間で音声ガイドを確実に終わらせることができる。さらに、その場合、上記音声ガイドの速度は上記標準速度に比べて速い速度(例では３秒を２.１秒に短縮)に調整される。
これにより、上記標準時間に比べてより短い時間で音声ガイドを確実に終わらせることができる。
【００６３】
以上記述したように、ユーザのキー操作間隔が短くなり、電源投入時から、洗濯コース等を洗濯し、各種内容での洗濯、乾燥等の条件を操作入力した後、スタートキー５３を操作するための時間が図１６の(ｂ)に示すように３秒の場合でも、図１６の(ｄ),(ｅ)に示
すように、ユーザに必要な情報である「大切な衣類はドライコースを使ってくださいね」とった音声ガイドを出力でき、スタートキー操作の後に「運転を開始します」といった音声ガイドを出力することができる。
【００６４】
また、上記音声ガイドの内容および速度のうちの少なくとも一方の調整の基準として、運転切換キー５５、コース選択キー５６およびメニューキー５７の操作間隔の直近５回分の平均値を用いるので、ユーザに対する音声ガイドの適合性を高めることができる。
【００６５】
上記第１実施形態では、操作間隔判定手段２２ａ、第１音声ガイド調整手段２２ｂおよび第２音声ガイド調整手段２２ｃは、それぞれ、ソフトウェアで構成されていたが、ハードウェアで構成されるようにしてもよい。
【００６６】
上記第１実施形態において、操作表示部４に、運転切換キー５５およびコースキー５６を設ける換わりに、図１０を参照して説明する第３実施形態で示すように、洗うキー、洗〜乾キー、乾かすキーおよびリフレッシュキーを設けてもよい。このようにする場合、洗うキー、洗〜乾キー、乾かすキー、リフレッシュキーおよびメニューキー５７の操作間隔に基づいて、音声ガイドを調整してもよい。
【００６７】
上記第１実施形態では、第２音声ガイド調整手段２２ｃは、上記操作間隔の直近５回分の平均値に基づいて、音声ガイドの調整を行っていたが、上記操作間隔の直近２回分、３回分、４回分または６回以上分の平均値に基づいて、音声ガイドの調整を行ってもよい。
【００６８】
上記第１実施形態では、第２音声ガイド調整手段２２ｃは、上記操作間隔の直近５回分の平均値に基づいて、音声ガイドの調整を行っていたが、上記操作間隔の直近１回分の値に基づいて、音声ガイドの調整を行ってもよい。すなわち、第２音声ガイド調整手段２２
ｃは、上記操作間隔の平均値を用いないようにしてもよい。
【００６９】
上記第１実施形態では、第２音声ガイド調整手段２２ｃは、音声ガイドの内容および速度の両方を調整できるものであったが、音声ガイドの内容および速度のうちの一方だけしか調整できないものにしてもよい。
【００７０】
上記第１実施形態において、上記操作間隔が、閾値Ｔｈ(ｂ)未満であり、かつ、予め設定された閾値Ｔｈ(ｃ)ｄ(＜Ｔｈ(ｂ))以上である場合、第２音声ガイド調整手段２２ｃは、音声ガイドの内容を、上記標準内容よりも圧縮された内容に調整すると共に、音声ガイドの速度を、上記標準速度よりも速い速度に調整するようにしてもよい。このようにする場合、上記操作間隔が、予め設定された閾値Ｔｈ(ｃ)未満であるとき、音声ガイドが流れないようにしてもよい。
【００７１】
上記第１実施形態では、スタート／一時停止ボタン５３は、物理ボタンであったが、タッチパネルに表示されるソフトキーにしてもよい。
【００７２】
ところで、特開平１０−２５５５７７号公報の洗濯機では、音声ガイドの出力中、例えばスタータボタンが押下されると、その音声ガイドが停止してしまう。
【００７３】
したがって、上記洗濯機には、音声ガイドの内容をユーザに十分伝えることができないことがあるという問題がある。
【００７４】
したがって、上記問題を解決するための洗濯機について、第２実施形態で説明する。
【００７５】
〔第２実施形態〕
図６は、この発明の第２実施形態の洗濯乾燥機の制御ブロック図である。なお、図６において、図４の構成部と同一構成部には、図４の構成部の参照番号と同一の参照番号を付している。また、以下の説明においても、上記第１実施形態の構成部と同一構成部は、上記第１実施形態の構成部の参照番号を付している。
【００７６】
上記洗濯乾燥機は、上記第１実施形態の制御装置２２とは異なる制御装置２２２を備えている。この制御装置２２２は、電源入りボタン押下判定手段２２２ａ、情報有無判定手段２２２ｂ、第１音声ガイド指示手段２２２ｃ、スタート／一時停止ボタン押下判定手段２２２ｄおよび第２音声ガイド指示手段２２２ｅを有している。この情報有無判定手段２２２ｂ、第１音声ガイド指示手段２２２ｃ、スタート／一時停止ボタン押下判定手段２２２ｄおよび第２音声ガイド指示手段２２２ｅは、それぞれ、ソフトウェアで構成されている。なお、電源入りボタン押下判定手段２２２ａおよびスタート／一時停止ボタン押下判定手段２２２ｄは、第１判定手段の一例である。また、情報有無判定手段２２２ｂは第２判定手段の一例である。また、第１音声ガイド指示手段２２２ｃは第１指示手段の一例である。
【００７７】
上記電源入りボタン押下判定手段２２２ａは、電源入りボタン５１が押下されたか否かを判定する。
【００７８】
上記情報有無判定手段２２２ｂは、電源入りボタン押下判定手段２２２ａによって電源入りボタン５１が押下されたと判定された場合、ユーザに伝えるべき情報があるか否かを判定する。この情報としては、前回の運転状態によってユーザに伝える必要性が生じたものがある。例えば、前回の運転時、フィルタ収納部８内の乾燥フィルタの目詰まりが検知されていた場合、乾燥フィルタが目詰まりしていたことが、上記情報となる。また、上記情報の他の例としては、排水フィルタ(図示せず)が目詰まりしいたこと、洗剤量が多すぎ
たこと、洗剤量が少なすぎたこと、槽洗浄が一定期間行われていないことなどがある。なお、上記排水フィルタは、洗濯槽２内の洗濯水などを外箱１外へ排水するための経路中に設けられたフィルタである。
【００７９】
上記第１音声ガイド指示手段２２２ｃは、情報有無判定手段２２２ｂによって上記情報があると判定された場合、上記情報を内容とする音声ガイドをスピーカ２５に一定速度で出力させる。
【００８０】
上記スタート／一時停止ボタン押下判定手段２２２ｄは、スタート／一時停止ボタン５３が押下されたか否かを判定する。
【００８１】
上記第２音声ガイド指示手段２２２ｅは、第１音声ガイド指示手段２２２ｃによる音声ガイドが出力されている最中に、スタート／一時停止ボタン押下判定手段２２２ｄによってスタート／一時停止ボタン５３が押下されたと判定された場合、その音声ガイドが終了してから、スタート／一時停止ボタン５３に予め対応付けされた音声ガイドをスピーカ２５に出力させる。
【００８２】
上記構成の洗濯乾燥機において、例えば、前回の運転時、フィルタ収納部８内の乾燥フィルタの目詰まりが検知されていた場合、スピーカ２５が、図７に示すように、「おはよう、乾燥フィルタを掃除して下さい、乾燥時間が長くなりますよ」という音声ガイドを一定速度で出力する。このとき、上記音声ガイドが出力されている最中にスタート／一時停止ボタン５３が押されると、第２音声ガイド指示手段２２２ｅによって、上記音声ガイドが終了してから、スタート／一時停止ボタン５３に予め対応付けされた音声ガイドがスピーカ２５から出力される。これにより、ユーザは、「おはよう、乾燥フィルタを掃除して下さい、乾燥時間が長くなりますよ」という音声ガイドを最後まで聞くことができる。したがって、上記音声ガイドの内容をユーザに十分伝えることができる。
【００８３】
また、上記「おはよう、乾燥フィルタを掃除して下さい、乾燥時間が長くなりますよ」という音声ガイドが終了した後、スタート／一時停止ボタン５３に予め対応付けされた音声ガイド(例えば「運転を開始します」)がスピーカ２５からされるので、ユーザは運転が開始したことも確認できる。
【００８４】
上記第２実施形態において、乾燥運転時に循環する空気の温度に基づいて、乾燥フィルタの目詰まりを検知してもよい。
【００８５】
上記第２実施形態において、洗濯槽２内の洗濯水などを外箱１外へ排水するのに要した時間に基づいて、排水フィルタの目詰まりを検知してもよい。
【００８６】
上記第２実施形態において、洗濯槽２に取り付けた光センサまたは電極を用いて、洗剤量の過多を検知してもよい。
【００８７】
図１４は、この発明の第２実施形態の洗濯乾燥機の第１変形例の制御ブロック図である。なお、図１４において、図６の構成部と同一構成部には、図６の構成部の参照番号と同一の参照番号を付している。
【００８８】
上記洗濯乾燥機の第１変形例は、第３音声ガイド調整手段２２２ｆを有する制御装置１２２２を備えている。なお、第３音声ガイド調整手段２２２ｆは変更手段の一例である。
【００８９】
上記第３音声ガイド調整手段２２２ｆは、ソフトウェアで構成されている。より詳しくは、第３音声ガイド調整手段２２２ｆは、第１音声ガイド指示手段２２２ｃによる音声ガ
イドの出力中にスタート／一時停止ボタン５３が押下されたとき、スタート／一時停止ボタン５３が押下された以降の上記音声ガイドの速度を、スタート／一時停止ボタン５３が押下される前の上記音声ガイドの速度よりも速くする。図８に示すように、上記音声ガイドとして例えば「おはよう、乾燥フィルタを掃除して下さい、乾燥時間が長くなりますよ」が出力されている最中にスタート／一時停止ボタン５３が押された場合、スタート／一時停止ボタン５３の押下の検知以降、上記音声ガイドの速度が上がる。これにより、上記第２実施形態よりも、上記音声ガイドを早く終了させることができるので、ユーザは、次の「運転を開始します」という音声ガイドを早い時点で聞くことができる。
【００９０】
図１５は、この発明の第２実施形態の洗濯乾燥機の第２変形例の制御ブロック図である。なお、図１５において、図６の構成部と同一構成部には、図６の構成部の参照番号と同一の参照番号を付している。
【００９１】
上記洗濯乾燥機の第１変形例は、第４音声ガイド調整手段２２２ｇを有する制御装置１２２２を備えている。なお、第４音声ガイド調整手段２２２ｇは変更手段の一例である。
【００９２】
上記第４音声ガイド調整手段２２２ｇは、ソフトウェアで構成されている。より詳しくは、第４音声ガイド調整手段２２２ｇは、第１音声ガイド指示手段２２２ｃによる音声ガイドの出力中にスタート／一時停止ボタン５３が押下されたとき、スタート／一時停止ボタン５３が押下された以降の上記音声ガイドの内容を、スタート／一時停止ボタン５３が押下される前の上記音声ガイドの内容よりも簡略化する。図９に示すように、上記音声ガイドとして例えば「おはよう、乾燥フィルタを掃除して下さい、乾燥時間が長くなりますよ」が出力されている最中にスタート／一時停止ボタン５３が押された場合、スタート／一時停止ボタン５３の押下の検知以降、上記音声ガイドが簡略化され、「乾燥時間が長くなりますよ」が流れなくなる。これにより、上記第２実施形態よりも、上記音声ガイドを早く終了させることができるので、ユーザは、次の「運転を開始します」という音声ガイドを早い時点で聞くことができる。
【００９３】
上記第２変形例において、第４音声ガイド調整手段２２２ｇを、第３音声ガイド調整手段２２２ｆの調整と第４音声ガイド調整手段２２２ｇの調整とを行う音声ガイド調整手段に換えてもよい。
【００９４】
ところで、特開平１０−２５５５７７号公報の洗濯機において、例えば、衣類の除菌防臭のためのＡｇイオンコートができるようにした場合、通常、ユーザは、取扱説明書を見なければ、Ａｇイオンコートの特徴機能を理解することができない。このため、上記特徴機能が積極的に利用されないという問題が生じてしまう。
【００９５】
したがって、上記問題を解決するための洗濯機について、第３実施形態で説明する。
【００９６】
〔第３実施形態〕
図１０は、この発明の第３実施形態の洗濯乾燥機の操作表示部３０４を正面側から見た図である。図１０では、上記第１実施形態の構成部と同一構成部には、上記第１実施形態の構成部の参照番号と同一参照番号を付している。また、以下の説明においても、上記第１実施形態の構成部と同一構成部は、上記第１実施形態の構成部の参照番号を付している。
【００９７】
上記操作表示部３０４は、電源入りボタン５１、電源切りボタン５２、スタート／一時停止ボタン５３、ロック解除ボタン５４および聞いてボタン３７０を有している。これらのボタンは、例えばプッシュボタン等の物理ボタンからなる。なお、操作表示部３０４は操作部の一例である。また、聞いてボタン３７０は音声キーの一例である。
【００９８】
また、上記操作表示部３０４は、運転切換キー３５５、メニューキー５７、調節キー５８、行程キー５９および機能付加キー３６３を有している。これらのキーは、タッチパネルに表示されるソフトキーである。
【００９９】
上記運転切換キー３５５は、上記第１実施形態の運転切換キー５５およびコース選択キー５６による機能と同様の機能を有する。
【０１００】
上記機能付加キー３６３は、予約キー６０、ふろ水キー３６４および槽クリーンキー３６５から構成されている。このふろ水キー３６４を押すと、ふろ水を使って洗いやすすぎが行われる。また、槽クリーンキー３６５を押すと、洗濯槽２の背面がきれいにすすがれる。なお、予約キー６０、ふろ水キー３６４および槽クリーンキー３６５は、機能キーの一例である。
【０１０１】
また、ユーザが、予約キー６０、ふろ水キー３６４または槽クリーンキー３６５を押すと、聞いてボタン３７０が点滅するようになっている。そして、ユーザが、点滅する聞いてボタン３７０を押すと、直前に押された機能付加キー３６３の機能を説明する音声ガイドがスピーカ２５から出力される。このとき、上記音声ガイドが機能を説明する機能付加キー３６３が点滅する。なお、上記音声ガイドの内容および速度は予め設定されている。
【０１０２】
図１１は上記洗濯乾燥機の制御ブロック図である。なお、図１１において、図４の構成部と同一構成部には、図４の構成部の参照番号と同一の参照番号を付している。
【０１０３】
上記洗濯乾燥機は、上記第１実施形態の制御装置２２とは異なる制御装置３２２を備えている。この制御装置３２２は、機能付加キー選択判定手段３２２ａ、聞いてボタン点滅手段３２２ｂ、聞いてボタン押下判定手段３２２ｃ、音声ガイド指示手段３２２ｄおよび機能付加キー点滅手段３２２ｅを有している。
【０１０４】
上記機能付加キー選択判定手段３２２ａは、機能付加キー３６３(予約キー６０、ふろ
水キー３６４または槽クリーンキー３６５)が押されて選択されたか否かを判定する。
【０１０５】
上記聞いてボタン点滅手段３２２ｂは、機能付加キー選択判定手段３２２ａによって、機能付加キー３６３が選択されたと判定された場合、聞いてボタン３７０を点滅させる。
【０１０６】
上記聞いてボタン押下判定手段３２２ｃは、点滅する聞いてボタン３７０が押下されたか否かを判定する。
【０１０７】
上記音声ガイド指示手段３２２ｄは、聞いてボタン押下判定手段３２２ｃによって、点滅する聞いてボタン３７０が押下されたと判定された場合、上記機能付加キー３６３に予め対応付けされた音声ガイドをスピーカ２５に出力させる。
【０１０８】
上記機能付加キー点滅手段３２２ｅは、上記音声ガイドの出力中に上記機能付加キー３６３を点滅させる。
【０１０９】
上記構成の洗濯乾燥機によれば、聞いてボタン押下判定手段３２２ｃによって、点滅する聞いてボタン３７０が押下されたと判定された場合、音声ガイド指示手段３２２ｄが、機能付加キー３６３に予め対応付けされた音声ガイドをスピーカ２５に出力させるので、ユーザは機能付加キー３６３の特徴機能を理解し易くなる。したがって、上記機能付加キー３６３の特徴機能が積極的に利用されるようにすることができる。
【０１１０】
また、上記機能付加キー選択判定手段３２２ａによって、機能付加キー３６３が選択されたと判定された場合、聞いてボタン点滅手段３２２ｂが聞いてボタン３７０を点滅させるので、ユーザは、機能付加キー３６３に予め対応付けされた音声ガイドがあることに気付き易くなる。
【０１１１】
また、上記機能付加キー点滅手段３２２ｅが、上記音声ガイドの出力中に上記機能付加キー３６３を点滅させるので、ユーザは、音声ガイドがどの機能付加キー３６３の説明なのかを理解し易くなる。
【０１１２】
上記第３実施形態において、聞いてボタン３７０が点滅していない場合、聞いてボタン３７０が押されたときに、機能付加キー３６３に関する音声ガイドがランダムに行われるようにしてもよい。すなわち、予約キー６０、ふろ水キー３６４および槽クリーンキー３６５のうちの一つがランダムに選択され、この選択されたキーに関する音声ガイドが出力されるようにしてもよい。
【０１１３】
以上のことを理解しやすいように音声ガイドの出力例を以下に記述する。機能キーの予約キー６０が操作されると、聞いてボタン３７０の部分が点滅される。その点滅でユーザが、そのボタン３７０を操作すれば、予約キー６０の部分が点滅する。それと同時に、「運転完了時刻を設定し、その時間前に運転終了するように計算して運転開始します」といった音声ガイドが出力される。
【０１１４】
また、上記槽クリーンキー３６５が操作され、点滅している聞いてボタン３７０を操作すれば、「運転完了後、除菌(プラズマクラスター)イオンで洗濯槽を除菌します」といった音声ガイドが出力される。このように、特徴機能をキー操作することで、その機能を説明する音声ガイドが出力されることで、ユーザは特徴的な機能の内容等が理解しやすくなる。
【０１１５】
上記第３実施形態において、機能付加キー３６３が、すすぎ回数を１回ですませるためのすすぎ１回キーを有するようにしてもよい。
【０１１６】
上記第３実施形態では、予約キー６０、ふろ水キー３６４および槽クリーンキー３６５は、タッチパネルに表示されるソフトキーであったが、物理ボタンにしてもよい。
【０１１７】
上記第３実施形態では、聞いてボタン３７０は、物理ボタンであったが、タッチパネルに表示されるソフトキーにしてもよい。
【０１１８】
ところで、特開平１０−２５５５７７号公報の洗濯機には、ユーザの愛着を高めることができないとう問題がある。
【０１１９】
したがって、上記問題を解決するための洗濯機について、第４，第５実施形態で説明する。
【０１２０】
〔第４実施形態〕
図１２は、この発明の第４実施形態の洗濯乾燥機の制御ブロック図である。なお、図１２において、図４の構成部と同一構成部には、図４の構成部の参照番号と同一の参照番号を付している。また、以下の説明においても、上記第１実施形態の構成部と同一構成部は、上記第１実施形態の構成部の参照番号を付している。
【０１２１】
上記洗濯乾燥機は、上記第１実施形態の制御装置２２とは異なる制御装置４２２を備えている。この制御装置４２２は、記憶部２３に書き込まれた総運転回数(電源入りボタン
５１の操作の積算値)が増えるにしたがって、音声ガイドに親しみを感じるように、音声
ガイドの内容を調整する。より詳しくは、制御装置４２２は、電源入りボタン５１の操作の積算値を判定する積算値判定手段４２２ａと、その積算値に基づいて、音声ガイドの内容を調整する音声ガイド調整手段４２２ｂとを有している。
【０１２２】
上記音声ガイド調整手段４２２ａは、電源入りボタン５１の操作の積算値が３６５回(
使用期間が１年未満と推定される回数)未満であれば、音声ガイドが丁寧モードで出力さ
れるように、また、電源入りボタン５１の操作の積算値が３６５回以上かつ１４６０回(
使用期間が１年以上かつ４年未満と推定される回数)未満であれば、音声ガイドが通常モ
ードで出力されるように、また、電源入りボタン５１の操作の積算値が１４６０回(使用
期間が４年以上と推定される回数)以上であれば、音声ガイドが友達モードで出力される
ように、音声ガイドを調節する。ここで、上記電源入りボタン５１の操作の積算値は、記憶部２３の交換等がされない限り、洗濯乾燥機が購入されてから行われた運転回数の合計と一致すると推定できる。
【０１２３】
上記丁寧モードで出力される音声ガイドの一例としては、「〜エラーが発生しました。申し訳ありませんが、〜の確認をお願いします。」がある。
【０１２４】
上記通常モードで出力される音声ガイドの一例としては、「〜エラーです。〜を確認して下さい。」がある。
【０１２５】
上記友達モードで出力される音声ガイドの一例としては、「〜エラーだよ。申し訳ありませんが、〜を確認して。」がある。
【０１２６】
なお、上記友達モードで出力される音声ガイドとしては、各地の独特の用語、方言等を出力するようにしてもよい。例えば、関西地区では、「〜エラーでっせ。〜を確認せんと、運転時間が長なり、電気代が高なるで。」といった内容で、音声ガイドが出力されるようにしてもよい。
【０１２７】
上記構成の洗濯乾燥機によれば、音声ガイド調整手段４２２ａが、電源入りボタン５１の操作の積算値に基づいて、音声ガイドを調整することによって、電源入りボタン５１の操作の積算値が少ないときは、余所余所しい音声ガイドだが、電源入りボタン５１の操作の積算値が多くなれば、親しみの音声ガイドに変更することができる。したがって、ユーザは、電源入りボタン５１の操作の積算値の増加に伴って、次第に打ち解け、慣れ親しんだ関係が得られるような感覚を持つことができる。その結果、上記洗濯乾燥機へのユーザの愛着を高めることができる。
【０１２８】
〔第５実施形態〕
図１３は、この発明の第５実施形態の洗濯乾燥機の制御ブロック図である。なお、図１３において、図４の構成部と同一構成部には、図４の構成部の参照番号と同一の参照番号を付している。また、以下の説明においても、上記第１実施形態の構成部と同一構成部は、上記第１実施形態の構成部の参照番号を付している。
【０１２９】
上記洗濯乾燥機は、上記第１実施形態の制御装置２２とは異なる制御装置５２２を備えている。この制御装置５２２は、記憶部２３に書き込まれた総運転回数(電源入りボタン
５１の操作の積算値)が増えるにしたがって、音声ガイドの声の年齢が高くなるように、
音声ガイドの周波数および速度を変更する。より詳しくは、制御装置５２２は、電源入りボタン５１の操作の積算値を判定する積算値判定手段５２２ａと、その積算値に基づいて、音声ガイドの周波数および速度を調整する音声ガイド調整手段５２２ｂとを有している。
【０１３０】
上記音声ガイド調整手段５２２ａは、電源入ボタン５１の操作の積算値が３６５回(使
用期間が１年未満と推定される回数)未満であれば、音声ガイドが子供モードで出力され
るように、また、電源入ボタン５１の操作の積算値が３６５回以上かつ１４６０回(使用
期間が１年以上かつ４年未満と推定される回数)未満であれば、音声ガイドが成人モード
で出力されるように、また、電源入ボタン５１の操作の積算値が１４６０回(使用期間が
４年以上と推定される回数)以上であれば、音声ガイドが老人モードで出力されるように
、音声ガイドを調節する。ここで、上記電源入ボタン５１の操作の積算値は、記憶部２３の交換等がされない限り、洗濯乾燥機が購入されてから行われた運転回数の合計と一致すると推定できる。
【０１３１】
上記子供モードで出力される音声ガイドは、周波数が例えば９００Ｈｚ、速度が例えば７７０文字／分となる。
【０１３２】
上記成人モードで出力される音声ガイドは、周波数が例えば７００Ｈｚ、速度が例えば５７０文字／分となる。
【０１３３】
上記老人モードで出力される音声ガイドは、周波数が例えば５００Ｈｚ、速度が例え４７０文字／分となる。
【０１３４】
上記構成の洗濯乾燥機によれば、音声ガイド調整手段５２２ｂが、電源入ボタン５１の操作の積算値に基づいて、音声ガイドを調整することによって、ユーザは、電源入ボタン５１の操作の積算値の増加に伴って、音声ガイドの声が老化していくように感じることができる。すなわち、音声ガイドの声は、電源入ボタン５１の操作の積算値が少ないときは、甲高く元気をユーザに感じさせることができ、電源入ボタン５１の操作の積算値が多くなったときは、トーンが下がって落ち着いたイメージをユーザに与えることができ、電源入ボタン５１の操作の積算値がさらに多くなったときは、トーンがさらに下がって老けたイメージをユーザに与えることができる。したがって、ユーザは、電源入ボタン５１の操作の積算値が増加すれば、長いお付き合いであることを実感し易くなる。その結果、上記洗濯乾燥機へのユーザの愛着を高めることができる。
【０１３５】
また、ユーザは、電源入ボタン５１の操作の積算値の増加に伴って、音声ガイドの声が老化していくように感じることができるので、製品の使用年数の経過を意識し易くなる。したがって、製品の経年劣化から生じる不具合に対するメンテンナンスの依頼や、製品の寿命が短い場合の買い替えのお薦めなどを、例えば音声ガイドでし易くなる。
【０１３６】
この発明の具体的な実施形態について説明したが、この発明は上記実施形態に限定されるものではなく、この発明の範囲内で種々変更して実施することができる。例えば、上記第１〜第５実施形態で記載した内容を適宜組み合わせたものを、この発明の一実施形態としてもよい。
【０１３７】
すなわち、この発明および実施形態を纏めると、次のようになる。
【０１３８】
この発明の洗濯機は、
洗濯物の処理工程を選択するための操作部４，３０４と、
音声ガイドを出力する音声ガイド出力部２５と、
制御装置２２，３２２，４２２，５２２，１２２２，２２２２と
を備え、
上記制御装置２２，３２２，４２２，５２２，１２２２，２２２２は、
上記操作部４，３０４の操作状態を判定する第１判定手段２２ａ，２２２ａ，２２２ｄ
，４２２ａ，５２２ａと、
上記第１判定手段２２ａ，２２２ａ，２２２ｄ，４２２ａ，５２２ａによる上記操作部４，３０４の操作状態の判定結果に応じて、上記音声ガイドの出力態様を変更する変更手段２２ｃ，２２２ｆ，２２２ｇ，４２２ｂ，５２２ｂと
を有することを特徴としている。
【０１３９】
上記構成によれば、上記変更手段２２ｃ，２２２ｆ，２２２ｇ，４２２ｂ，５２２ｂは、第１判定手段２２ａ，２２２ａ，２２２ｄ，４２２ａ，５２２ａによる操作部４，３０４の操作状態の判定結果に応じて、音声ガイドの出力態様を変更する。これにより、上記音声ガイドは、例えば、ユーザが急いでいる度合い等に合ったものにすることができる。したがって、この発明の洗濯機は、ユーザに対して適切な音声ガイドを供給できる。
【０１４０】
一実施形態の洗濯機では、
上記第１判定手段２２ａは上記操作部４の操作間隔を判定し、
上記変更手段２２ｃは、上記操作間隔が短くなるにしたがって、上記音声ガイドの速度を速くする変更と、上記操作間隔が短くなるにしたがって、上記音声ガイドの内容を簡略化する変更との少なくとも一方を行う。
【０１４１】
上記実施形態によれば、上記変更手段２２ｃは、操作間隔が短くなるにしたがって、音声ガイドの速度を速くする変更と、操作間隔が短くなるにしたがって、音声ガイドの内容を簡略化する変更との少なくとも一方を行う。これにより、上記ユーザが急いで操作部４を操作した場合、音声ガイドがまどろっこしいとユーザに感じさせないようにすることができる。
【０１４２】
一実施形態の洗濯機では、
上記操作部４は、電源を入れる電源キー５１を有し、
上記第１判定手段４２２ａ，５２２ａは、上記電源キー５１の操作回数の積算値を判定し、
上記変更手段４２２ｂ，５２２ｂは、上記電源キー５１の操作回数の積算値が増えるにしたがって、上記音声ガイドの声の年齢が高くなるように、上記音声ガイドの周波数および速度を変更する、または、上記電源キー５１の操作回数の積算値が増えるにしたがって、上記音声ガイドに親しみを感じるように、上記音声ガイドの内容を変更する。
【０１４３】
上記実施形態によれば、上記変更手段５２２ｂは、電源キー５１の操作回数の積算値が増えるにしたがって、音声ガイドの声の年齢が高くなるように、音声ガイドの周波数および速度を変更する。これにより、ユーザは、音声ガイドを聞いて使用年月を実感し易くなるので、洗濯機への愛着が高まる。
【０１４４】
あるいは、上記変更手段４２２ｂは、電源キー５１の操作回数の積算値が増えるにしたがって、音声ガイドに親しみを感じるように、音声ガイドの内容を変更する。これによっても、ユーザは、音声ガイドを聞いて使用年月を実感し易くなるので、洗濯機への愛着が高まる。
【０１４５】
一実施形態の洗濯機では、
上記操作部４は、電源を入れる電源キー５１と、上記洗濯物の処理工程をスタートさせるスタートキー５３とを有し、
上記第１判定手段２２２ａ，２２２ｄは、上記電源キー５１およびスタートキー５３が操作されたか否かを判定し、
上記制御装置１２２２，２２２２は、
上記電源キー５１が操作されたとき、ユーザに伝えるべき情報があるか否かを判定する
第２判定手段２２２ｂと、
上記情報があるとき、上記音声ガイドとして上記情報を出力するように、上記音声ガイド出力部２５に指示する第１指示手段２２２ｃと
を有し、
上記変更手段２２２ｆ，２２２ｇは、上記音声ガイドとしての上記情報の出力中に上記スタートキー５３が操作されたとき、上記スタートキー５３が操作された以降の上記音声ガイドの速度を、上記スタートキー５３が操作される前の上記音声ガイドの速度よりも速くする変更と、上記スタートキー５３が操作された以降の上記音声ガイドの内容を、上記スタートキー５３が操作される前の上記音声ガイドの内容よりも簡略化する変更との少なくとも一方を行う。
【０１４６】
上記実施形態によれば、上記変更手段２２２ｆ，２２２ｇは、音声ガイドとしての情報の出力中にスタートキー５３が操作されたとき、スタートキー５３が操作された以降の音声ガイドの速度を、スタートキー５３が操作される前の音声ガイドの速度よりも速くする変更と、スタートキー５３が操作された以降の音声ガイドの内容を、スタートキー５３が操作される前の音声ガイドの内容よりも簡略化する変更との少なくとも一方を行う。これにより、上記音声ガイドが早く終了するので、次の音声ガイドの提供が遅れ難くなる。
【０１４７】
一実施形態の洗濯機では、
上記操作部３０４は、特定の機能を得るための機能キー６０，３６４，３６５と、上記特定の機能の説明を聞くための音声キー３７０とを有し、
上記制御装置３２２は、
上記機能キー６０，３６４，３６５が操作されたか否かを判定する第３判定手段３２２ａと、
上記機能キー６０，３６４，３６５が操作されたとき、上記音声キー３７０を点滅させる点滅手段３２２ｂと、
上記音声キー３７０が点滅中に操作されたか否かを判定する第４判定手段３２２ｃと、
上記音声キー３７０が点滅中に操作されたとき、上記音声ガイドとして上記機能キー６０，３６４，３６５の説明を出力するように、上記音声ガイド出力部２５に指示する第２指示手段３２２ｄと
を有する。
【０１４８】
上記実施形態によれば、上記点滅手段３２２ｂは、機能キー６０，３６４，３６５が操作されたとき、音声キー３７０を点滅させるので、ユーザは音声キー３７０の存在に気付き易くなるので、音声キー３７０が操作され易くなる。
【０１４９】
また、上記第２指示手段３２２ｄは、音声キー３７０が点滅中に操作されたとき、音声ガイドとして機能キー６０，３６４，３６５の説明を出力するように、音声ガイド出力部２５に指示する。これにより、ユーザの機能キー６０，３６４，３６５に対する理解が深まるので、機能キー６０，３６４，３６５が使用され易くなる。
【符号の説明】
【０１５０】
１  外箱
２  洗濯槽
３  回転ドラム
４，３０４  操作表示部
５  扉
２２，２２２，３２２，４２２，５２２，１２２２，２２２２  制御装置
２２ａ  操作間隔判定手段
２２ｂ  第１音声ガイド調整手段
２２ｃ  第２音声ガイド調整手段
５１  電源入りボタン
５２  電源切りボタン
５３  スタート／一時停止ボタン
５４  ロック解除ボタン
５５  運転切換キー
５６  コース選択キー
５７  メニューキー
５８  調節キー
５９  行程キー
６０  予約キー
６１  すすぎ１回キー
２２２ａ  電源入りボタン押下判定手段
２２２ｂ  情報有無判定手段
２２２ｃ  第１音声ガイド指示手段
２２２ｄ  スタート／一時停止ボタン押下判定手段
２２２ｅ  第２音声ガイド指示手段
２２２ｆ  第３音声ガイド調整手段
２２２ｇ  第４音声ガイド調整手段
３２２ａ  機能付加キー選択判定手段
３２２ｂ  聞いてボタン点滅手段
３２２ｃ  聞いてボタン押下判定手段
３２２ｄ  音声ガイド指示手段
３２２ｅ  機能付加キー点滅手段
３６４  ふろ水キー
３６５  槽クリーンキー
３７０  聞いてボタン
４２２ａ，５２２ａ  積算値判定手段
４２２ｂ，５２２ｂ  音声ガイド調整手段
【図１】
2018143887.tif 000003
【図２】
2018143887.tif 000004
【図３】
2018143887.tif 000005
【図４】
2018143887.tif 000006
【図５】
2018143887.tif 000007
【図６】
2018143887.tif 000008
【図７】
2018143887.tif 000009
【図８】
2018143887.tif 000010
【図９】
2018143887.tif 000011
【図１０】
2018143887.tif 000012
【図１１】
2018143887.tif 000013
【図１２】
2018143887.tif 000014
【図１３】
2018143887.tif 000015
【図１４】
2018143887.tif 000016
【図１５】
2018143887.tif 000017
【図１６】
2018143887.tif 000018